(57)【特許請求の範囲】
【請求項１】
少なくとも１枚のレンズと、該レンズが内部に挿嵌される鏡枠とを備えるレンズ鏡筒ユニットであって、
前記鏡枠内には、
レンズの光軸方向の位置を規制する当接面と、
前記レンズの周面が嵌合する第１内周面と、
前記レンズの周面に対向する位置で、前記第１内周面から径方向外側に突出して形成された大径部と、
前記大径部からさらに第２内周面まで径方向外側に突出して階段状に形成された第１段差面と、が形成され、
径方向において、前記第１内周面から前記大径部までの距離は、前記大径部から前記第２内周面までの距離よりも大きく、
前記レンズの周面と前記大径部との間には、前記レンズを固定するための少なくとも１つの接着剤塗布用空間が形成されていることを特徴とするレンズ鏡筒ユニット。
【請求項２】
前記大径部は、光軸方向において、前記当接面と同一の面を有する、
請求項１に記載のレンズ鏡筒ユニット。
【請求項３】
前記第１段差面に隣接し前記第２内周面に接するよう光学系部材が配置されており、前記光学系部材は、第２レンズ、スペーサ部材、遮光部材、反射防止部材のいずれかであることを特徴とする請求項１、または２に記載のレンズ鏡筒ユニット。
【請求項４】
前記光学部材の周面に対向する位置で、前記第２内周面から径方向外側に突出して形成された第２大径部と、
前記第２大径部からさらに第３内周面まで径方向外側に突出して階段状に形成された第２段差面と、をさらに有し、
前記光学系部材の周面と前記第２大径部との間には、前記光学系部材を固定するための少なくとも１つの接着剤塗布用空間が形成されていることを特徴とする請求項３に記載のレンズ鏡筒ユニット。
【請求項５】
請求項１から４のいずれか１項に記載のレンズ鏡筒ユニットを有するカメラ。
【請求項６】
請求項１から４のいずれか１項に記載のレンズ鏡筒ユニットを有する電子機器。
【発明の詳細な説明】
【技術分野】
【０００１】
本発明は、接着剤を介しレンズを鏡枠内に固定保持するレンズ鏡筒ユニットに関する。
【背景技術】
【０００２】
カメラ、ビデオ等の光学機器において、レンズ、鏡枠及び遮光部材、スペーサ等の光学系部材により構成されたレンズ鏡筒ユニットが従来から開発されてきた。レンズ鏡筒ユニットの組み立ては、鏡枠にレンズを挿嵌し、レンズの外周面と鏡枠の間に形成された空間に接着剤を塗布し、レンズを固定することで行われている。
【先行技術文献】
【特許文献】
【０００３】
【特許文献１】特開２０１０−１３９５６６
【発明の概要】
【発明が解決しようとする課題】
【０００４】
しかし、特許文献１に記載された実施例（図１２）に示されるように、レンズの外周面と鏡枠の間に形成された空間に接着剤を塗布し、レンズを固定する方法においては、接着剤塗布量のばらつき、または表面張力や、接着剤硬化時の盛り上がりによって、接着剤が規定の範囲よりはみ出したまま固まると、隣接して配置されるスペーサやレンズ等の他の部材を組み付ける際に干渉し、他の部材を所定位置に組み付けできず、傾いたりずれたりするなどの問題が発生する。
【０００５】
本発明は、かかる課題を解決するためになされたもので、接着剤で固定されるレンズに隣接して配置される部材を精度良く組み付けることを可能にした鏡筒ユニットを提供することを目的とする。
【課題を解決するための手段】
【０００６】
本発明にかかるレンズ鏡筒ゆにっとは、少なくとも１枚のレンズと、レンズが内部に挿嵌される鏡枠とを備えるレンズ鏡筒ユニットであって、前記鏡枠内には、レンズの光軸方向の位置を規制する当接面と、レンズの周面が嵌合する鏡枠内周面と、レンズの周面と前記鏡枠内周面との間に、レンズを固定するための少なくとも１つの接着剤塗布用空間が形成され、該空間の断面は、階段状に段差が設けられている。
【０００７】
接着剤塗布空間は、レンズの周面が嵌合する鏡枠の内周面に均等な間隔で３箇所以上設けられていてもよい。
【０００８】
レンズを固定するための接着剤塗布用空間内に形成された段差部に隣接して光学系部材が配置されており、光学系部材は、第２レンズ、スペーサ部材、遮光部材、反射防止部材のいずれかであってもよく、また光学系部材の周面と鏡枠内周面との間に、光学系部材を固定するための少なくとも１つの接着剤塗布用空間が形成されて、該空間の断面は、階段状に段差が設けられていてもよい。
【発明の効果】
【０００９】
本発明にかかるレンズ駆動装置によれば、接着されたレンズに隣接する部材の位置精度を保ちつつ、レンズ鏡筒ユニットの組み立てを容易に行うことができる。
【図面の簡単な説明】
【００１０】
【図１】本発明の実施形態に係る鏡枠を示す斜視図である。
【図２】図１に示す鏡枠にレンズ及び遮光部材が組み込まれたレンズ鏡筒ユニットの断面斜視図である。
【図３】レンズ鏡筒ユニットＭを内蔵したカメラ１００の実施例である。
【図４】レンズ鏡筒ユニットＭを内蔵した電子機器２００の実施例である。
【発明を実施するための最良の形態】
【００１１】
以下、図面を用いて本発明の実施例を詳細に説明する。
図１は、本発明の実施形態に係る鏡枠を示す斜視図であり、図２は鏡枠にレンズ及び遮光部材が組み込まれたレンズ鏡筒ユニットの断面斜視図である。
本発明の実施形態に係るレンズ鏡筒ユニットＭは、第１レンズ１、第２レンズ２及び鏡枠３、遮光部材４、接着剤５ａと接着剤５ｂとを備えている。
【００１２】
図１において、鏡枠３の形状について説明する。鏡枠３には第１レンズ１の周面１ａと嵌合するための第１内周面３ａ、第１内周面３ａから鏡枠３の径方向中心に向かって延伸し、第１レンズ１を透過した像を更に光軸方向に導くための開口部である第１小径部３ｂと、第１レンズ１の光軸方向の位置を確定する第１当接面３ｃとが形成されている。
第１内周面３ａには、第１レンズ１を固定するための接着剤塗布空間６ａが形成されている。接着剤塗布空間６ａは、円周上に均等な間隔で３箇所に配置された第１大径部３ｄ、第１段差面３ｋが形成されている。
【００１３】
また鏡枠３内には、第２レンズ２が周面嵌合するための第２内周面３ｅ、第２レンズ２を透過した像を更に光軸方向に導くための開口部である第２小径部３ｇと、の光軸方向の位置を確定する第２当接面３ｆとが形成されている。尚、本実施例では、第２小径部３ｇ
と第１内周面３ａは、同じ径で形成されているが、異なる径で形成されていても良い。
第２内周面３ｅには、第２レンズ２を固定するための接着剤塗布空間６ｂが形成されている。接着剤塗布空間６ｂは、円周上に均等な間隔で３箇所に配置された第２大径部３ｈ及び第２段差面３ｌが形成されている。
さらに、鏡枠３内には、遮光部材４と周面嵌合するための第３内周面３ｊ、遮光部材４の光軸方向の位置決めとなる第３当接面３ｉが設けられている。
【００１４】
第１当接面３ｃと第１大径部３ｄと第１段差面３ｋとは、断面が階段状に段差を有した形状で、３箇所の接着剤塗布空間６ａに形成されている。また第２当接面３ｆと第２大径部３ｈと第２段差面３ｌは、断面が階段状に段差を有した形状で、３箇所の接着剤塗布空間６ｂに形成される。
【００１５】
次に、組み立て方法について、順を追って説明する。
第１レンズ１は鏡枠３に挿嵌され、光軸に垂直な方向の位置は第１レンズ１の周面１ａと鏡枠３の第１内周面３ａに嵌合されることにより位置決めされ、光軸方向は鏡枠３の第１当接面３ｃに当接し位置決めされる。
第１レンズ１は、接着剤塗布空間６ａに接着剤５ａを塗布することにより固定される。接着剤５ａは、第１段差面３ｋより第１当接面３ｃ側に、第１段差面３ｋを超えないように塗布される。このとき、接着剤５ａは、表面張力によって、第１大径部３ｄと第１段差面３ｋとが交わる角部より、第１段差面３ｋや第２内周面３ｅに浸透してくることはなく、第１段差面３ｋより第１当接面３ｃ側に留まる。
接着剤５ａは、硬化する際に体積が増え、膨張することがあるが、その場合、第１段差面３ｋと第２当接面３ｆに相当する高さの間に設けられた空間内に収容され、第２当接面３ｆを超える高さまで膨張することはなく、第２レンズ２の組付精度に影響を及ぼすことはない。
【００１６】
次に、第２レンズ２も上記第１レンズ１と同様の手順で鏡枠３に接着固定される。
接着剤５ｂは、第２段差面３ｌより第２当接面３ｆ側に、第２段差面３ｌを越えないように塗布される。このとき、接着剤５ｂは、表面張力によって、第２大径部３ｈと第２段差面３ｋとが交わる角部より、第２段差面３や第３内周面３ｊに浸透してくることはなく、第２段差面３ｌより第２当接面３ｆ側に留まる。
接着剤５ｂは、硬化する際に体積が増え、膨張することがあるが、その場合、第２段差面３ｌと第３当接面３ｉに相当する高さの間に儲かられた空間内に収容され、第３当接面３ｉを超える高さまで膨張することはなく、遮光部材４の組付精度影響を及ぼすことはない。
【００１７】
尚、接着剤５接着剤５ａ、５ｂは、紫外線硬化型樹脂であってもよく、この場合は、鏡枠３の所定の位置に第１レンズ１を組み込んで、接着剤５ａを塗布した後、接着剤５ａを
硬化させてから、第２レンズを組み込んでいく。
【００１８】
図３は、レンズ鏡筒ユニットＭを内蔵したカメラ１００の実施例である。
図４は、レンズ鏡筒ユニットＭを内蔵した電子機器２００の実施例である。
レンズ鏡筒ユニットＭは、カメラ１００或いは電子機器２００（携帯電話、スマートフォン、タブレット型ＰＣ、ノートＰＣなど）に装着される。
なお、本実施の形態においては、接着剤塗布空間は円周上に均等な間隔で３箇所に配置される構成としたが、これに限るものではなく、２つ以下または４つ以上の接着剤塗布空間を配置されてもよい。
【００１９】
また、本実施例においては、第１当接面３ｃに第１レンズ１、第２当接面３ｆに第２レンズ２、第３当接面３ｉに遮光部材４の３つを当接させたが、これに限るものではなく、スペーサを含め、どのような組み合わせでも良いし、当接させる部品も３つに限らない。
【符号の説明】
【００２０】
Ｍ          レンズ鏡筒ユニット
１          第１レンズ
１ａ        第１レンズ周面
２          第２レンズ
２ａ        第２レンズ周面
３          鏡枠
３ａ        第１内周面
３ｂ        第１小径部
３ｃ        第１当接面
３ｄ        第１大径部
３ｅ        第２内周面
３ｆ        第２当接面
３ｇ        第２小径部
３ｈ        第２大径部
３ｉ        第３当接面
３ｊ        第３内周面
３ｋ        第１段差面
３ｌ        第２段差面
４          遮光部材
５ａ，５ｂ  接着剤
６ａ，６ｂ  接着剤塗布空間
１００      カメラ
２００      電子機器
【図１】
0006529224.tif 000002
【図２】
0006529224.tif 000003
【図３】
0006529224.tif 000004
【図４】
0006529224.tif 000005